(57)【特許請求の範囲】
【請求項１】
可撓性のある合成樹脂で形成され、閉じたときに密閉する密閉ジッパーと；
前記密閉ジッパーに対して所定の間隔を空けて前記密閉ジッパーに沿って設けられ、可撓性のある合成樹脂で形成された補助ジッパーとを備え；
前記密閉ジッパーが、前記密閉ジッパーが延びる方向に直交する密閉ジッパー直交断面において突起として現れる凸型レールと、前記密閉ジッパーを閉じたときに前記密閉ジッパー直交断面において前記突起の先端部を包む溝が形成される溝形成部材として現れる凹型レールとを有し；
前記凹型レールは、前記密閉ジッパー直交断面における前記溝形成部材の開口に隣接する先端が相互に近づくように曲げられた爪部が形成され；
前記凸型レールは、前記密閉ジッパー直交断面における前記突起の先端から中程の方向に見て幅が徐々に広がった後に急に狭くなることで、前記凹型レールに嵌合されたときに前記爪部に掛かる顎部が形成され；
前記爪部と前記顎部とが掛かっているときの前記爪部と前記顎部との係合力が、前記密閉ジッパー直交断面において、前記補助ジッパーに隣接する側の方が、前記補助ジッパーの反対側よりも、小さく形成され；
前記補助ジッパーが、前記補助ジッパーが延びる方向に直交する補助ジッパー直交断面において突出した突出部が形成された突出レールと、前記補助ジッパー直交断面において前記突出部を挟む挟持部が形成された挟持レールとを有し；
前記突出レール及び前記挟持レールの少なくとも一方に、前記補助ジッパーが延びる方向に窪みが断続的に形成され；
前記突出レールが、前記補助ジッパー直交断面において、前記密閉ジッパーに近い側に設けられた内側突部と、前記内側突部から離れて前記密閉ジッパーから遠い側に設けられた外側突部とを含んで構成され；
前記挟持レールが、前記補助ジッパーを閉じたときに、前記補助ジッパー直交断面において、前記内側突部に対して前記密閉ジッパーに近い側から接する内側添え部と、前記外側突部に対して前記密閉ジッパーから遠い側から接する外側添え部とを含んで構成され；
前記突出レールには、前記内側突部及び前記外側突部の先端が互いに離れる方向に曲げられた拡散部が形成されており；
前記挟持レールには、前記内側添え部及び前記外側添え部の先端が互いに近づく方向に曲げられることにより前記拡散部と係合する近接部が形成されており；
前記補助ジッパーは、前記拡散部が前記近接部を通過する際に、前記内側突部の先端と前記外側突部の先端とが接触し得るように構成された；
複合ジッパー。
【請求項２】
前記内側突部と前記内側添え部との係合力が、前記外側突部と前記外側添え部との係合力よりも大きく形成された；
請求項１に記載の複合ジッパー。
【請求項３】
物体を出し入れ可能な開口が形成された袋本体と；
請求項１又は請求項２に記載の複合ジッパーとを備え；
前記密閉ジッパーよりも前記補助ジッパーが前記袋本体の前記開口の側に設けられた；
ジッパー袋。
【発明の詳細な説明】
【技術分野】
【０００１】
本発明は複合ジッパー及びジッパー袋に関し、特に密閉性を保ちつつ破損の発生を抑制する複合ジッパー及びジッパー袋に関する。
【背景技術】
【０００２】
食品の保存等に好適に用いられる袋体として、合成樹脂で形成された袋の開口部にジッパーを設け、開口を繰り返し開閉可能に構成したジッパー袋がある。ジッパー袋に食品を入れて保存する際には、密閉性を確保したいという要請がある。ジッパー袋は、ジッパーのかみ合わせを誤ると開口が閉じられないことになるところ、ジッパーの長手方向に延びるかみ合い得る２つの対向するリブ異形材及び溝異形材の少なくとも一方の異形材の、対向する異形材と接触してかみ合い得る長手方向に延びる部分が、その長さに沿って構造上不連続でありかつそこで２つの異形材がかみ合ったときに対向するジッパー異形材と実質的に組み合わされないが互いに接触しているジッパーを採用することで、ジッパーを閉じるときに振動又は動揺感を有することとして、音及び感触の両方でジッパーが閉じたことを確認することができるジッパー袋がある（例えば、特許文献１参照。）。
【先行技術文献】
【特許文献】
【０００３】
【特許文献１】特開平８−５８８１１号公報
【発明の概要】
【発明が解決しようとする課題】
【０００４】
上述のジッパー袋は、ジッパーが閉じたことを音及び感触の両方で確認できるため、ジッパーを閉めたつもりが実際には閉められていないという事態を回避することができる反面、不連続構造の部分が密閉性に劣るおそれがある。密閉性を担保するために、不連続構造を有するジッパーとは別に、密閉性の高いジッパーを並行して設けることが考えられる。しかしながら、密閉性の高いジッパーは、対向する異形材の係合を強固にして容易に開かないように構成されていることが多く、ジッパー袋の両端を摘んで開けようとすると、ジッパーが開く前にジッパー周辺の袋が破損してしまうことがあった。
【０００５】
本発明は上述の課題に鑑み、密閉性を保ちつつ破損の発生を抑制することができる複合ジッパー及びこれを備えるジッパー袋を提供することを目的とする。
【課題を解決するための手段】
【０００６】
上記目的を達成するために、本発明の第１の態様に係る複合ジッパーは、例えば図１及び図２に示すように、合成樹脂で形成され、閉じたときに密閉する密閉ジッパー１８と；密閉ジッパー１８に対して所定の間隔Ｄを空けて密閉ジッパー１８に沿って設けられ、合成樹脂で形成された補助ジッパー１９とを備え；密閉ジッパー１８が、密閉ジッパー１８が延びる方向Ｅに直交する密閉ジッパー直交断面（例えば図２（Ａ）参照）において突起２１として現れる凸型レール２０と、密閉ジッパー直交断面において突起２１の先端部２２を包む溝３０ｇが形成される溝形成部材３１として現れる凹型レール３０とを有し；凹型レール３０は、密閉ジッパー直交断面における溝形成部材３１の開口３１ｈに隣接する先端が相互に近づくように曲げられた爪部３１ｃが形成され；凸型レール２０は、密閉ジッパー直交断面における突起２１の先端２２ｔから中程の方向に見て幅が徐々に広がった後に急に狭くなることで、凹型レール３０に嵌合されたときに爪部３１ｃに掛かる顎部２２ｊが形成され；爪部３１ｃと顎部２２ｊとが掛かっているときの爪部３１ｃと顎部２２ｊとの係合力が、密閉ジッパー直交断面において、補助ジッパー１９に隣接する側の方が、補助ジッパー１９の反対側よりも、小さく形成されている。
【０００７】
このように構成すると、密閉ジッパーが、補助ジッパーに隣接する側から開けるときに要する力が比較的小さくなるので損傷を抑制することができ、補助ジッパーの反対側から開けるときに要する力が比較的大きくなるので密閉性が保たれる。さらに、密閉ジッパーに沿って補助ジッパーが設けられているので、補助ジッパーに隣接する側から密閉ジッパーを開く力が意図せずに加わることを防ぐことができる。
【０００８】
また、本発明の第２の態様に係る複合ジッパーは、例えば図２に示すように、上記本発明の第１の態様に係る複合ジッパーにおいて、補助ジッパー１９が、補助ジッパー１９が延びる方向Ｅに直交する補助ジッパー直交断面において突出した突出部４１が形成された突出レール４０と、補助ジッパー直交断面において突出部４１を挟む挟持部５１が形成された挟持レール５０とを有し；突出レール４０及び挟持レール５０の少なくとも一方に、補助ジッパー１９が延びる方向Ｅに窪み４１ｄが断続的に形成されている。
【０００９】
このように構成すると、補助ジッパーが、密閉ジッパーの損傷防止と密閉性の補助を果たすと同時に複合ジッパーを閉めた感触を指で察知することができる機能を持つ。
【００１０】
また、本発明の第３の態様に係る複合ジッパーは、例えば図２に示すように、上記本発明の第２の態様に係る複合ジッパーにおいて、突出レール４０が、補助ジッパー直交断面において、密閉ジッパー１８に近い内側突部４２と、密閉ジッパー１８から遠い外側突部４３とを含んで構成され；挟持レール５０が、補助ジッパー１９を閉じたときに、補助ジッパー直交断面において、内側突部４２に対して密閉ジッパー１８に近い側から接する内側添え部５２と、外側突部４３に対して密閉ジッパー１８から遠い側から接する外側添え部５３とを含んで構成されている。
【００１１】
このように構成すると、複合ジッパーの嵌合を安定させることができ、嵌合ミスを抑制することができる。
【００１２】
また、本発明の第４の態様に係る複合ジッパーは、例えば図２に示すように、上記本発明の第３の態様に係る複合ジッパーにおいて、突出レール４０が、内側突部４２及び外側突部４３の先端が互いに離れる方向に曲げられた拡散部４２ｊ、４３ｊが形成され；挟持レール５０が、内側添え部５２及び外側添え部５３の先端が互いに近づく方向に曲げられることにより拡散部４２ｊ、４３ｊと係合する近接部５２ｃ、５３ｃが形成され；内側突部４２と内側添え部５２との係合力が、外側突部４３と外側添え部５３との係合力よりも大きく形成されている。
【００１３】
このように構成すると、密閉ジッパーの側から補助ジッパーが開いてしまうことを抑制することができ、密閉性を向上させることができる。
【００１４】
また、本発明の第５の態様に係るジッパー袋は、例えば図１に示すように、物体を出し入れ可能な開口１０ｈが形成された袋本体１１と；上記本発明の第１の態様乃至第４の態様のいずれか１つの態様に係る複合ジッパー１５とを備え；密閉ジッパー１８よりも補助ジッパー１９が袋本体１１の開口１０ｈの側に設けられている。
【００１５】
このように構成すると、複合ジッパー周辺の損傷を抑制しつつ密閉性が保たれるジッパー袋となる。
【発明の効果】
【００１６】
本発明によれば、密閉ジッパーが、補助ジッパーに隣接する側から開けるときに要する力が比較的小さくなるので損傷を抑制することができ、補助ジッパーの反対側から開けるときに要する力が比較的大きくなるので密閉性が保たれ、さらに、密閉ジッパーに沿って補助ジッパーが設けられているので、補助ジッパーに隣接する側から密閉ジッパーを開く力が意図せずに加わることを防ぐことができる。
【図面の簡単な説明】
【００１７】
【図１】本発明の実施の形態に係るジッパー袋の斜視図である。
【図２】（Ａ）は本発明の実施の形態に係るジッパー袋の部分断面図、（Ｂ）は本発明の実施の形態に係る複合ジッパーを構成する凸型レール及び突出レールの部分平面図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１及び図２を参照して、本発明の実施の形態に係る複合ジッパー１５及びジッパー袋１０を説明する。図１は、ジッパー袋１０の斜視図である。図２（Ａ）はジッパー袋１０の部分断面図、図２（Ｂ）は複合ジッパー１５を構成する凸型レール２０及び突出レール４０の部分平面図である。ジッパー袋１０は、袋本体１１と、複合ジッパー１５とを備えている。
【００２０】
袋本体１１は、合成樹脂で形成された１枚の長方形状のシートを、長手方向の中央で折り返し、対向するシートの、折り返し辺１０ｔに直交する２つの側辺１０ｓで溶着することによって袋状に形成されている。この折り返したシートの、一方が袋表面１２（一方の面）となり、残った方が袋裏面１３（他方の面）となる。袋本体１１を形成する合成樹脂には、ポリエチレン系樹脂やポリプロピレン系樹脂、ポリアミド樹脂等の熱可塑性樹脂成形体を用いることができ、これらを用いることで気密性を備えることができる。袋本体１１は、折り返し辺１０ｔの反対側が、開口１０ｈとなっている。袋本体１１には、開口１０ｈを横断するように、換言すれば開口１０ｈを周回するように、複合ジッパー１５が開口１０ｈの付近に設けられている。
【００２１】
複合ジッパー１５は、スライダーがなく、人の手で着脱する線ファスナーである。複合ジッパー１５は、密閉ジッパー１８と、補助ジッパーとしてのクリックジッパー１９とを備えている。密閉ジッパー１８とクリックジッパー１９とは、平行に延びるように袋本体１１に設けられており、密閉ジッパー１８が折り返し辺１０ｔ側に、クリックジッパー１９が開口１０ｈ側に、配置されている。密閉ジッパー１８及びクリックジッパー１９は、共に可撓性のある合成樹脂で形成されている。密閉ジッパー１８は、凸型レール２０と、凹型レール３０とを有している。クリックジッパー１９は、突出レール４０と、挟持レール５０とを有している。凸型レール２０及び突出レール４０は、袋表面１２に取り付けられている。凹型レール３０及び挟持レール５０は、袋裏面１３に取り付けられている。本実施の形態では、凸型レール２０及び突出レール４０は、半透明の材質で形成されていると共に青色に着色されており、凹型レール３０及び挟持レール５０は、黄色に着色されている。
【００２２】
図２（Ａ）の部分断面図は、密閉ジッパー１８が延びる方向に直交する断面、すなわち密閉ジッパー直交断面を示している。本実施の形態では、クリックジッパー１９は密閉ジッパー１８と平行に延びているので、クリックジッパー１９が延びる方向は密閉ジッパー１８が延びる方向と同じになり、密閉ジッパー直交断面はクリックジッパー直交断面（補助ジッパー直交断面）をも表していることになる。以下、密閉ジッパー１８が延びる方向及びクリックジッパー１９が延びる方向を単にジッパー延方向Ｅといい、密閉ジッパー直交断面及びクリックジッパー直交断面を単にジッパー直交断面ということとする。なお、以下のジッパー直交断面における説明においては、便宜上、袋表面１２及び袋裏面１３を上下に配置したときの高さＨ方向における袋表面１２側を下（あるいは下方）、袋裏面１３側を上（あるいは上方）といい、幅Ｗ方向における折り返し辺１０ｔ（図１参照）側を内側（内部側）、開口１０ｈ側（端部側）を外側ということとする。
【００２３】
まず、ジッパー直交断面における密閉ジッパー１８の構成を説明する。ジッパー直交断面において、凸型レール２０は、先端部としての傘部２２と、柄部２３とを有し、キノコ状の輪郭を呈する突起２１として現れている。柄部２３は、概ね同じ幅で上下に延びており、一端が袋表面１２に固着している。傘部２２は、柄部２３の上端に接続されている。傘部２２は、上端２２ｔから下方に向かって徐々に広がり、下面は柄部２３に向かってやや上り勾配が形成されている。傘部２２の底面の柄部２３に接続するまでの部分に、顎部２２ｊが形成されている。顎部２２ｊは、外側（クリックジッパー１９側）の顎部２２ｊＡが、内側（クリックジッパー１９とは反対側）の顎部２２ｊＢよりも、張り出しが小さく形成されている。本実施の形態では、突起２１の高さが概ね０．１〜０．５ｍｍであり、傘部２２の高さは概ね突起２１の高さの半分程度に形成されている。
【００２４】
凹型レール３０は、ジッパー直交断面において、溝３０ｇが形成される溝形成部材としてのＵ字部材３１として現れている。溝３０ｇは、凸型レール２０の突起２１の傘部２２を受け入れることができるように形成されている。Ｕ字部材３１は、図２（Ａ）ではＵ字溝状の部材が逆さまの状態で配設されているため、突起２１を受け入れるためのＵ字開口３１ｈが下端に形成されている。Ｕ字部材３１は、Ｕ字開口３１ｈと対向する端部が、袋裏面１３に固着している。Ｕ字開口３１ｈの両脇に位置するＵ字部材３１の下端は、相互に近づくように曲げられることにより、爪部３１ｃが形成されている。Ｕ字部材３１は、溝３０ｇに対して突起２１を所定の力で出し入れする際に弾性変形する弾性率を持つ材料で形成されている。爪部３１ｃは、突起２１の傘部２２が溝３０ｇに収容されたときに、顎部２２ｊと係合するように構成されている。本実施の形態では、両端の爪部３１ｃは、同じ大きさ（長さ）に形成されている。Ｕ字部材３１の高さは、突起２１の高さと同程度に形成されている。
【００２５】
次に、ジッパー直交断面におけるクリックジッパー１９の構成を説明する。クリックジッパー１９は、密閉ジッパー１８に対して外側に所定の間隔を空けて設けられている。所定の間隔に相当する密閉ジッパー１８とクリックジッパー１９との距離Ｄは、生産性の観点、及び複合ジッパー１５を閉じるときに親指と人差し指とで挟んで密閉ジッパー１８及びクリックジッパー１９を同時に閉じることができるようにする観点から、好ましくは３〜１０ｍｍ、より好ましくは４〜８ｍｍとするとよく、本実施の形態では６ｍｍとしている。
【００２６】
突出レール４０は、ジッパー直交断面において、袋表面１２から上方へ突出する突出部４１が形成されている。突出部４１は、本実施の形態では、内側に設けられた内側突部４２と、外側に設けられた外側突部４３とを有している。内側突部４２と外側突部４３とは、幅Ｗ方向に離れている。内側突部４２の上端は、内側に曲げられることにより、内側顎部４２ｊが形成されている。外側突部４３の上端は、外側に曲げられることにより、外側顎部４３ｊが形成されている。内側顎部４２ｊ及び外側顎部４３ｊは、互いに離れる方向に延びており、拡散部を構成する。本実施の形態では、内側顎部４２ｊが外側顎部４３ｊよりも張り出しが大きく形成されている。内側突部４２の上端には、内側窪み４２ｄが形成されている。外側突部４３の上端には、外側窪み４３ｄが形成されている。内側窪み４２ｄ及び外側窪み４３ｄを総称して、窪み４１ｄということとする。窪み４１ｄの構成の詳細は後述する。突出部４１は、窪み４１ｄが形成されている側とは反対側の端部で、袋表面１２に固着している。突出部４１の高さは、突起２１の高さと同程度に形成されている。
【００２７】
挟持レール５０は、ジッパー直交断面において、クリックジッパー１９を閉じたときに突出部４１を挟む挟持部５１が形成されている。挟持部５１は、袋裏面１３から下方へ延びている。挟持部５１は、本実施の形態では、内側に設けられた内側添え部５２と、外側に設けられた外側添え部５３とを有している。内側添え部５２及び外側添え部５３は、突出部４１が挟持部５１に嵌ったときに、内側添え部５２が内側から内側突部４２に接し、外側添え部５３が外側から外側突部４３に接するように、内側突部４２と外側突部４３との間隔よりも広い間隔を持って幅Ｗ方向に離れている。内側添え部５２の下端は、外側に曲げられることにより、内側爪部５２ｃが形成されている。外側添え部５３の下端は、内側に曲げられることにより、外側爪部５３ｃが形成されている。内側爪部５２ｃ及び外側爪部５３ｃは、互いに近づく方向に延びており、近接部を構成する。内側爪部５２ｃ及び外側爪部５３ｃは、突出部４１を挟持部５１に嵌めるときに、内側爪部５２ｃは内側突部４２に接触し、外側爪部５３ｃは外側突部４３に接触するように形成されている。本実施の形態では、内側爪部５２ｃが外側爪部５３ｃよりも張り出しが大きく形成されている。挟持部５１は、内側爪部５２ｃ及び外側爪部５３ｃが形成されている側とは反対側の端部で、袋裏面１３に固着している。挟持部５１の高さは、突出部４１の高さと同程度に形成されている。
【００２８】
次に図２（Ｂ）を主に参照し、図２（Ａ）及び図１も適宜参照して、ジッパー延方向Ｅにおける突出レール４０の構成を説明する。ジッパー延方向Ｅにおいて、突出レール４０には、窪み４１ｄが断続的に形成されている。窪み４１ｄは、突出レール４０の上端から下方に向かって形成されている（図２（Ａ）参照）。窪み４１ｄの深さ（高さＨ方向の距離）は、突出部４１の上端から内側顎部４２ｊ及び外側顎部４３ｊまでの距離の、概ね１／３〜２／３程度で、本実施の形態では１／２になっている。窪み４１ｄの長さである窪み長さ４１ｄＬ（ジッパー延方向Ｅの距離）は、適宜決定することができるが、複合ジッパー１５を閉じたときの突出レール４０と挟持レール５０との係合力を維持する観点から、１ｍｍ以下とするとよく、０．３〜０．９ｍｍがより好ましく、本実施の形態では０．７ｍｍとなっている。また、本実施の形態では、ジッパー延方向Ｅにおいて、窪み４１ｄが、内側窪み４２ｄ及び外側窪み４３ｄが同期して、等間隔で形成されている。隣接する窪み４１ｄの間の距離は、ジッパー１５を閉じたときの指が察知する感触を小刻みにする観点からは、窪み長さ４１ｄＬの１倍〜３倍程度とするのが好ましい（１．５倍や２倍を含む）。本実施の形態では２．５ｍｍとなっている。また、本実施の形態では、突出レール４０以外の凸型レール２０、凹型レール３０、挟持レール５０は、突出レール４０における窪み４１ｄのような不連続構造が形成されておらず、円滑に形成されている。凸型レール２０及び凹型レール３０が円滑に形成されていることで、密閉ジッパー１８は、閉じたときに水を通さない程度に密着するように構成されている。
【００２９】
上述のように構成されたジッパー袋１０において、複合ジッパー１５を閉める際は、最初に複合ジッパー１５の端（袋本体１１の一方の側辺１０ｓ付近）で凸型レール２０と凹型レール３０及び突出レール４０と挟持レール５０とをそれぞれ指先で挟み込むように摘んで嵌合させ、次いで、指先を摘んだままジッパー延方向Ｅに摺動させる。これにより、指先の動きに沿って、凸型レール２０と凹型レール３０及び突出レール４０と挟持レール５０とが順次嵌合することとなる。このとき、突出レール４０に窪み４１ｄが所定の間隔で形成されているので、指先を摺動させたときにプチプチという感覚（微小な振動）が指先に伝わり、複合ジッパー１５が閉じられていることを実感することができる。仮に、突出レール４０と挟持レール５０とが嵌合していないときは、このプチプチ感を実感することができない。プチプチ感は、その有無を感じられれば足りるため、本実施の形態では窪み４１ｄの深さを比較的浅く形成している。突出レール４０と挟持レール５０とが嵌合すると、これらに平行に配置された凸型レール２０と凹型レール３０とも嵌合することとなる。また、複合ジッパー１５は、凸型レール２０及び突出レール４０が青色の半透明に、凹型レール３０及び挟持レール５０が黄色に形成されているので、嵌合したときに、凹型レール３０及び挟持レール５０の黄色が凸型レール２０及び突出レール４０の青色に映り込んで、凸型レール２０及び突出レール４０が緑色に見える。この色の変化によって、複合ジッパー１５が閉じたことが視覚でも把握することができることとなり、指先のプチプチ感と併せて、複合ジッパー１５が閉じたことを２つの感覚で確認することができる。
【００３０】
突出レール４０に窪み４１ｄが形成されていることで、閉じられたクリックジッパー１９に隙間が形成されることになるが、クリックジッパー１９の内側に密閉ジッパー１８が設けられているため、複合ジッパー１５全体としては密閉性を確保することができ、袋本体１１に液体状のものを入れることにも適している。また、ジッパー袋１０は、密閉ジッパー１８が、外側の顎部２２ｊＡよりも内側の顎部２２ｊＢの方が張り出しが大きいため、密閉ジッパー１８の係合力（開きにくさ）は、外側よりも内側の方が大きい。加えて、クリックジッパー１９は、内側顎部４２ｊが外側顎部４３ｊよりも張り出しが大きく、内側爪部５２ｃが外側爪部５３ｃよりも張り出しが大きく形成されているので、密閉ジッパー１８の側からクリックジッパー１９が開いてしまうことを抑制することができ、密閉性を向上させることができる。この点を考慮することによっても、ジッパー袋１０は、袋本体１１に液体状のものを入れても、優れた密閉性を発揮して漏れにくい。
【００３１】
他方、ジッパー袋１０において複合ジッパー１５を開ける際は、開口１０ｈ側の袋表面１２及び袋裏面１３の端部をそれぞれ摘み、各端部を互いに離間させる方向に動かすことで、まず、クリックジッパー１９の係合が外れ、次いで密閉ジッパー１８の係合が外れることとなる。このとき、密閉ジッパー１８の外側の顎部２２ｊＡの方が内側の顎部２２ｊＢよりも張り出しが小さいため、外側から開けるときは内側から開くときよりも小さな力で開けることができる。仮に、密閉ジッパー１８の外側の係合力が大きすぎる場合は、開ける際に大きな力が必要となり、密閉ジッパー１８が開くよりも先に袋本体１１（特に密閉ジッパー１８の接続部まわりの袋本体１１）が破損することも起こりうる。ジッパー袋１０では、密閉ジッパー１８の外側の方が内側よりも顎部２２ｊの張り出しが小さく係合力が小さいので、上述のように密閉性を保ちながら、開けるときの袋本体１１の損傷を抑制することができる。さらに、ジッパー袋１０は、密閉ジッパー１８の外側にクリックジッパー１９が設けられているので、密閉ジッパー１８の外側の係合力を比較的小さく構成しても、密閉ジッパー１８が外側から意図せずに開いてしまうことを防ぐことができる。密閉ジッパー１８が外側から意図せずに開いてしまうことをより確実に防止するためには、クリックジッパー１９の外側の係合力を、密閉ジッパー１８の外側の係合力よりも大きくするとよい。このように構成することで、仮にクリックジッパー１９まわりの袋本体１１が破損してしまった場合でも、密閉ジッパー１８まわりの袋本体１１の破損は免れるので、密閉性を維持することができる。係合力は、係合する２つの部材の接触する距離（長さ）によって調節することができ、接触距離が長いと係合力が大きく、短いと係合力が小さくなる。また、ジッパー袋１０は、クリックジッパー１９が、密閉ジッパー１８が外側から意図せずに開いてしまうことを防ぐ機能と、複合ジッパー１５が適切に閉じたことを指で察知する機能とを兼ねるので、この両者の機能を持つジッパーを別々に設ける必要がなく、有効容量の減少を抑制することができる。
【００３２】
上述のように構成されたジッパー袋１０を製造するには、まず、袋本体１１並びに密閉ジッパー１８及びクリックジッパー１９の原料である合成樹脂原料を押出機に投入して溶融する。押出機の吐出部には、サーキュラーダイ及びジッパー用ダイが設けられている。溶融した合成樹脂原料は、サーキュラーダイにより、袋本体１１となる合成樹脂シートが円筒状で押し出される（シート押出成形工程）。さらに、溶融した合成樹脂原料は、ジッパー用ダイにより、複合ジッパー１５となる合成樹脂材であるジッパー樹脂が、着色されたうえで押し出され、円筒状で押し出された合成樹脂シートに、その長手方向に沿って接合される（ジッパー接合工程）。合成樹脂シートにジッパー樹脂が接合されたら、突出レール４０となる部分のジッパー樹脂に窪み形成ローラーを押し当てて、突出部４１に相当する部分に窪み４１ｄを断続的に形成する（窪み形成工程）。窪み形成ローラーは、円筒状の側面に、窪み４１ｄに対応する突起が形成されたローラーである。ジッパー樹脂が接合された合成樹脂シートは、窪み形成ローラーの下流側に設けられたピンチローラーにより上向きに引っ張られながら円筒が押しつぶされる（ピンチ工程）。
【００３３】
ピンチローラーでピンチされた（引っ張られながら円筒がつぶされた）合成樹脂シートは、歪みが取り除かれ、ピンチローラーの下流側で、フラット状に折り畳まれた状態で、ジッパー樹脂より外側で、円筒状の長手方向に沿った切断が行われる（切断工程）。さらに、ジッパー袋１０の大きさに溶断され、シールされる（溶断シール工程）。ここで溶断される間隔は、ジッパー袋１０の両側辺１０ｓ（図１参照）の間隔である。また、溶断されたジッパー袋１０の両側辺１０ｓに対応する部分は、溶断に伴う熱溶着によりシールされる。これらの切断工程及び溶断シール工程により、開口１０ｈが形成され、ジッパー袋１０となる。両側辺１０ｓがシールされたジッパー袋１０は、その下流側の工程で、両側辺１０ｓのシール部分及び複合ジッパー１５部分のチェックが行われたうえで、出荷用に梱包される。なお、切断工程と溶断シール工程とは、同時に行われてもよく、溶断シール工程が切断工程よりも先に行われてもよい。
【００３４】
以上の説明では、凸型レール２０を構成する突起２１の外側の顎部２２ｊＡが内側の顎部２２ｊよりも張り出しが小さく形成されていることで、凹型レール３０との係合力は外側の方が小さくなるように構成されていることとしたが、この構成に代えて、又はこの構成と共に、凹型レール３０の爪部３１ｃを内側よりも外側の方を小さく形成することにより、凸型レール２０と凹型レール３０との係合力が内側よりも外側の方が小さくなるように構成されていてもよい。
【００３５】
以上の説明では、突出レール４０が、ジッパー直交断面において内側突部４２及び外側突部４３の２つの突部を有しているとしたが、１つの突部で構成されていてもよい。このとき、内側突部４２と外側突部４３とを近づけて接触させて一体にした輪郭に形成されることとするとよい。
【００３６】
以上の説明では、内側顎部４２ｊが外側顎部４３ｊよりも張り出しが大きく形成されていると共に、内側爪部５２ｃが外側爪部５３ｃよりも張り出しが大きく形成されていることとしたが、内側顎部４２ｊ及び外側顎部４３ｊの双方の張り出しが同じ大きさに形成され、及び／又は、内側爪部５２ｃ及び外側爪部５３ｃの双方の張り出しが同じ大きさに形成されていてもよい。
【００３７】
以上の説明では、内側突部４２及び外側突部４３の両方に窪み４１ｄが形成されているとしたが、どちらか一方に形成されることとしてもよい。また、突出部４１に窪み４１ｄが断続的に形成されているとしたが、挟持部５１に窪みが形成されていてもよい。このとき、窪みは、内側添え部５２及び外側添え部５３の両方に形成されることとしてもよく、どちらか一方に形成されることとしてもよい。
【００３８】
以上の説明では、凸型レール２０及び突出レール４０が袋表面１２に、凹型レール３０及び挟持レール５０が袋裏面１３に、それぞれ固着していることとしたが、凸型レール２０と挟持レール５０とが袋表面１２に固着すると共に、凹型レール３０と突出レール４０とが袋裏面１３に固着することとしてもよい。
【００３９】
以上の説明では、凸型レール２０及び突出レール４０が半透明であり、凹型レール３０及び挟持レール５０は半透明ではないとしたが、凸型レール２０及び凹型レール３０のどちらか一方並びに突出レール４０及び挟持レール５０のどちらか一方、すなわち嵌合するレールのうちの一方が半透明ではなく他方が半透明であることとしてもよく、これら４つのレール２０、３０、４０、５０のすべてが半透明であってもよい。また、凸型レール２０及び突出レール４０が青色で凹型レール３０及び挟持レール５０が黄色であるとしたが、凸型レール２０及び凹型レール３０の色、及び／又は、突出レール４０及び挟持レール５０の色を相互に入れ替えてもよく、あるいは、それぞれ又はどちらか一方を異なる色としてもよい（青色及び黄色以外の色の組み合わせでもよい）。つまり、互いに嵌合するレールが嵌合したときとしないときとで色の違いが視認できる色の組み合わせを適宜選択してもよい。
【符号の説明】
【００４０】
１０  ジッパー袋
１０ｈ  開口
１１  袋本体
１５  複合ジッパー
１８  密閉ジッパー
１９  クリックジッパー
２０  凸型レール
２１  突起
２２  傘部
２２ｊ  顎部
２２ｔ  先端
３０  凹型レール
３０ｇ  溝
３１  Ｕ字部材
３１ｃ  爪部
３１ｈ  Ｕ字開口
４０  突出レール
４１  突出部
４１ｄ  窪み
４２  内側突部
４２ｊ  内側顎部
４３  外側突部
４３ｊ  外側顎部
５０  挟持レール
５１  挟持部
５２  内側添え部
５２ｃ  内側爪部
５３  外側添え部
５３ｃ  外側爪部
Ｅ    ジッパー延方向
【図１】
0005822612.tif 000002
【図２】
0005822612.tif 000003